(57)【要約】  プリカーサイオン選択処理部（２２）は、質量電荷比の異なるプリカーサイオンを順次選択して、ＭＳ／ＭＳスペクトルデータ取得処理部（２３）により各プリカーサイオンに対応するＭＳ／ＭＳスペクトルデータを取得させる。プリカーサイオン選択処理部（２２）は、既にＭＳ／ＭＳスペクトルデータが取得されているプリカーサイオンの質量電荷比に対して所定の範囲内に含まれない質量電荷比のプリカーサイオンを順次選択する。
2019229839.tif 000002
【特許請求の範囲】
【請求項１】
試料をイオン化して質量分析を行うことによりＭＳスペクトルデータを取得するＭＳスペクトルデータ取得処理部と、  前記ＭＳスペクトルデータに基づいてプリカーサイオンを選択するプリカーサイオン選択処理部と、  選択された前記プリカーサイオンを開裂させて質量分析を行うことによりＭＳ／ＭＳスペクトルデータを取得するＭＳ／ＭＳスペクトルデータ取得処理部とを備え、  前記プリカーサイオン選択処理部は、質量電荷比の異なるプリカーサイオンを順次選択して、前記ＭＳ／ＭＳスペクトルデータ取得処理部により各プリカーサイオンに対応するＭＳ／ＭＳスペクトルデータを取得させるものであり、既にＭＳ／ＭＳスペクトルデータが取得されているプリカーサイオンの質量電荷比に対して所定の範囲内に含まれない質量電荷比のプリカーサイオンを順次選択することを特徴とする質量分析装置。
【請求項２】
前記ＭＳ／ＭＳスペクトルデータ取得処理部により取得されたＭＳ／ＭＳスペクトルデータを表示させる表示処理部をさらに備え、  前記表示処理部は、前記プリカーサイオン選択処理部によりプリカーサイオンとして選択されなかったイオンに対応するＭＳ／ＭＳスペクトルデータとして、当該イオンの質量電荷比を前記所定の範囲内に含むプリカーサイオンに対応するＭＳ／ＭＳスペクトルデータを表示させることを特徴とする請求項１に記載の質量分析装置。
【請求項３】
前記表示処理部は、前記プリカーサイオン選択処理部によりプリカーサイオンとして選択されなかったイオンに対応するＭＳ／ＭＳスペクトルデータを表示させる際に、当該イオンがプリカーサイオンとして選択されてＭＳ／ＭＳスペクトルデータが取得されていたとした場合の保持時間を表示させることを特徴とする請求項２に記載の質量分析装置。
【請求項４】
試料をイオン化して質量分析を行うことによりＭＳスペクトルデータを取得するＭＳスペクトルデータ取得ステップと、  前記ＭＳスペクトルデータに基づいてプリカーサイオンを選択するプリカーサイオン選択ステップと、  選択された前記プリカーサイオンを開裂させて質量分析を行うことによりＭＳ／ＭＳスペクトルデータを取得するＭＳ／ＭＳスペクトルデータ取得ステップとを含み、  前記プリカーサイオン選択ステップは、質量電荷比の異なるプリカーサイオンを順次選択して、前記ＭＳ／ＭＳスペクトルデータ取得ステップにより各プリカーサイオンに対応するＭＳ／ＭＳスペクトルデータを取得させるものであり、既にＭＳ／ＭＳスペクトルデータが取得されているプリカーサイオンの質量電荷比に対して所定の範囲内に含まれない質量電荷比のプリカーサイオンを順次選択することを特徴とする質量分析方法。
【請求項５】
前記ＭＳ／ＭＳスペクトルデータ取得ステップにより取得されたＭＳ／ＭＳスペクトルデータを表示させる表示ステップをさらに含み、  前記表示ステップでは、前記プリカーサイオン選択ステップによりプリカーサイオンとして選択されなかったイオンに対応するＭＳ／ＭＳスペクトルデータとして、当該イオンの質量電荷比を前記所定の範囲内に含むプリカーサイオンに対応するＭＳ／ＭＳスペクトルデータを表示させることを特徴とする請求項４に記載の質量分析方法。
【請求項６】
前記表示ステップでは、前記プリカーサイオン選択ステップによりプリカーサイオンとして選択されなかったイオンに対応するＭＳ／ＭＳスペクトルデータを表示させる際に、当該イオンがプリカーサイオンとして選択されてＭＳ／ＭＳスペクトルデータが取得されていたとした場合の保持時間を表示させることを特徴とする請求項５に記載の質量分析方法。
【発明の詳細な説明】
【技術分野】
【０００１】  本発明は、試料をイオン化して質量分析を行うことにより取得したＭＳスペクトルデータに基づいてプリカーサイオンを選択し、その選択されたプリカーサイオンを開裂させて質量分析を行うことによりＭＳ／ＭＳスペクトルデータを取得する質量分析装置及び質量分析方法に関するものである。
【背景技術】
【０００２】  液体クロマトグラフにより試料成分を分離し、分離された各試料成分に対してＭＳｎ分析（ｎは自然数）を順次行うことにより、得られたＭＳｎスペクトルに基づいて各試料成分を同定する場合がある（例えば、下記特許文献１参照）。この場合、まず、イオン化された試料成分の質量分析（ＭＳ分析）を行うことによりＭＳスペクトルデータが取得される。そして、測定されたＭＳスペクトルデータに基づいてプリカーサイオンが選択され、選択されたプリカーサイオンを開裂させて質量分析（ＭＳ／ＭＳ分析）を行うことにより、ＭＳ／ＭＳスペクトルデータが取得される。【０００３】  プリカーサイオンを選択する際には、ＭＳスペクトルデータにおいて各ピーク強度が所定の閾値と比較される。そして、ピーク強度が閾値以上である質量電荷比に対応するイオンが、プリカーサイオンとして選択される。このとき、ピーク強度が閾値以上の質量電荷比が複数存在すれば、プリカーサイオンが複数選択されることとなる。
【先行技術文献】
【特許文献】
【０００４】
【特許文献１】特開２０１０−１９６５５号公報
【発明の概要】
【発明が解決しようとする課題】
【０００５】  プリカーサイオンが複数選択される場合、それらの質量電荷比が近似しているときでも、それぞれの質量電荷比に対応するプリカーサイオンがいずれも選択され、各プリカーサイオンに基づいてＭＳ／ＭＳスペクトルデータが取得される。この場合、取得される各ＭＳ／ＭＳスペクトルデータは近似した結果となるため、必要以上にＭＳ／ＭＳスペクトルデータを取得することとなり、時間及び記憶領域を無駄に使用する結果となる。【０００６】  本発明は、上記実情に鑑みてなされたものであり、必要最小限のＭＳ／ＭＳスペクトルデータを取得することができる質量分析装置及び質量分析方法を提供することを目的とする。
【課題を解決するための手段】
【０００７】（１）本発明に係る質量分析装置は、ＭＳスペクトルデータ取得処理部と、プリカーサイオン選択処理部と、ＭＳ／ＭＳスペクトルデータ取得処理部とを備える。前記ＭＳスペクトルデータ取得処理部は、試料をイオン化して質量分析を行うことによりＭＳスペクトルデータを取得する。前記プリカーサイオン選択処理部は、前記ＭＳスペクトルデータに基づいてプリカーサイオンを選択する。前記ＭＳ／ＭＳスペクトルデータ取得処理部は、選択された前記プリカーサイオンを開裂させて質量分析を行うことによりＭＳ／ＭＳスペクトルデータを取得する。前記プリカーサイオン選択処理部は、質量電荷比の異なるプリカーサイオンを順次選択して、前記ＭＳ／ＭＳスペクトルデータ取得処理部により各プリカーサイオンに対応するＭＳ／ＭＳスペクトルデータを取得させるものであり、既にＭＳ／ＭＳスペクトルデータが取得されているプリカーサイオンの質量電荷比に対して所定の範囲内に含まれない質量電荷比のプリカーサイオンを順次選択する。【０００８】  このような構成によれば、質量電荷比の異なるプリカーサイオンを順次選択して、各プリカーサイオンに対応するＭＳ／ＭＳスペクトルデータを取得する際、既にＭＳ／ＭＳスペクトルデータが取得されているプリカーサイオンの質量電荷比に対して所定の範囲内に含まれる質量電荷比のイオンは選択されない。これにより、必要最小限のＭＳ／ＭＳスペクトルデータを取得することができ、近似するＭＳ／ＭＳスペクトルデータが無駄に取得されるのを防止することができる。その結果、時間及び記憶領域を無駄に使用するのを防止することができる。【０００９】（２）前記質量分析装置は、前記ＭＳ／ＭＳスペクトルデータ取得処理部により取得されたＭＳ／ＭＳスペクトルデータを表示させる表示処理部をさらに備えていてもよい。この場合、前記表示処理部は、前記プリカーサイオン選択処理部によりプリカーサイオンとして選択されなかったイオンに対応するＭＳ／ＭＳスペクトルデータとして、当該イオンの質量電荷比を前記所定の範囲内に含むプリカーサイオンに対応するＭＳ／ＭＳスペクトルデータを表示させてもよい。【００１０】  このような構成によれば、プリカーサイオンとして選択されなかったイオンについても、そのイオンに対応するＭＳ／ＭＳスペクトルデータとして、当該イオンの質量電荷比を前記所定の範囲内に含むプリカーサイオンに対応するＭＳ／ＭＳスペクトルデータが表示される。したがって、表示されたＭＳ／ＭＳスペクトルデータを確認することにより、プリカーサイオンとして選択されなかったイオンについての分析も行うことが可能になる。【００１１】（３）前記表示処理部は、前記プリカーサイオン選択処理部によりプリカーサイオンとして選択されなかったイオンに対応するＭＳ／ＭＳスペクトルデータを表示させる際に、当該イオンがプリカーサイオンとして選択されてＭＳ／ＭＳスペクトルデータが取得されていたとした場合の保持時間を表示させてもよい。【００１２】  このような構成によれば、プリカーサイオンとして選択されなかったイオンについては、そのイオンに対応するＭＳ／ＭＳスペクトルデータとして、当該イオンの質量電荷比を前記所定の範囲内に含むプリカーサイオンに対応するＭＳ／ＭＳスペクトルデータが表示されるだけでなく、当該イオンがプリカーサイオンとして選択されてＭＳ／ＭＳスペクトルデータが取得されていたとした場合の保持時間も表示される。したがって、表示されたＭＳ／ＭＳスペクトルデータ及び保持時間を確認することにより、プリカーサイオンとして選択されなかったイオンについての分析をより詳細に行うことが可能になる。【００１３】（４）本発明に係る質量分析方法は、ＭＳスペクトルデータ取得ステップと、プリカーサイオン選択ステップと、ＭＳ／ＭＳスペクトルデータ取得ステップとを含む。前記ＭＳスペクトルデータ取得ステップでは、試料をイオン化して質量分析を行うことによりＭＳスペクトルデータを取得する。前記プリカーサイオン選択ステップでは、前記ＭＳスペクトルデータに基づいてプリカーサイオンを選択する。前記ＭＳ／ＭＳスペクトルデータ取得ステップでは、選択された前記プリカーサイオンを開裂させて質量分析を行うことによりＭＳ／ＭＳスペクトルデータを取得する。前記プリカーサイオン選択ステップは、質量電荷比の異なるプリカーサイオンを順次選択して、前記ＭＳ／ＭＳスペクトルデータ取得ステップにより各プリカーサイオンに対応するＭＳ／ＭＳスペクトルデータを取得させるものであり、既にＭＳ／ＭＳスペクトルデータが取得されているプリカーサイオンの質量電荷比に対して所定の範囲内に含まれない質量電荷比のプリカーサイオンを順次選択する。【００１４】（５）前記質量分析方法は、前記ＭＳ／ＭＳスペクトルデータ取得ステップにより取得されたＭＳ／ＭＳスペクトルデータを表示させる表示ステップをさらに含んでいてもよい。この場合、前記表示ステップでは、前記プリカーサイオン選択ステップによりプリカーサイオンとして選択されなかったイオンに対応するＭＳ／ＭＳスペクトルデータとして、当該イオンの質量電荷比を前記所定の範囲内に含むプリカーサイオンに対応するＭＳ／ＭＳスペクトルデータを表示させてもよい。【００１５】（６）前記表示ステップでは、前記プリカーサイオン選択ステップによりプリカーサイオンとして選択されなかったイオンに対応するＭＳ／ＭＳスペクトルデータを表示させる際に、当該イオンがプリカーサイオンとして選択されてＭＳ／ＭＳスペクトルデータが取得されていたとした場合の保持時間を表示させてもよい。
【発明の効果】
【００１６】  本発明によれば、必要最小限のＭＳ／ＭＳスペクトルデータを取得することができ、近似するＭＳ／ＭＳスペクトルデータが無駄に取得されるのを防止することができる。
【図面の簡単な説明】
【００１７】
【図１】本発明の一実施形態に係る質量分析装置の概略構成を示したブロック図である。
【図２】プリカーサイオン選択処理部がプリカーサイオンを選択する際の態様について説明するための図である。
【図３】ある試料をイオン化して質量分析を行うことにより取得されたＭＳスペクトルデータの一例を示す図である。
【図４】図３に示すＭＳスペクトルデータに基づいてプリカーサイオンを選択する際の態様について説明するための図である。
【図５】表示処理部がＭＳスペクトルデータ及びＭＳ／ＭＳスペクトルデータを表示部に表示させる際の態様について説明するための図である。
【発明を実施するための形態】
【００１８】１．質量分析装置の概略構成  図１は、本発明の一実施形態に係る質量分析装置の概略構成を示したブロック図である。本実施形態に係る質量分析装置は、例えば質量分析部１、制御部２、記憶部３及び表示部４などを備えている。
【００１９】  質量分析部１は、試料をイオン化して質量分析を行う。質量分析部１には、例えばイオン化室、イオントラップ及びイオン検出器（いずれも図示せず）が備えられている。イオン化室でイオン化された試料は、イオントラップにおいてＣＩＤ（衝突誘起解離）により開裂された後、イオン検出器により検出される。
【００２０】  質量分析部１は、例えばＴＯＦＭＳ（飛行時間型質量分析計）により構成される。この種の質量分析部１では、飛行空間に形成された電場により加速されたイオンが、当該飛行空間を飛行する間に質量電荷比に応じて時間的に分離され、イオン検出器により順次検出される。これにより、質量電荷比とイオン検出器における検出強度との関係がマススペクトルとして測定される。
【００２１】  ただし、質量分析部１は、ＴＯＦＭＳにより構成されるものに限らない。また、試料をイオン化する方法としては、ＥＳＩ（エレクトロスプレーイオン化）、ＡＰＣＩ（Atmospheric Pressure Chemical Ionization）、ＰＥＳＩ（Probe Electro Spray Ionization）又はＭＡＬＤＩ（Matrix Assisted Laser Desorption/Ionization）などの各種イオン化法を用いることができる。
【００２２】  本実施形態では、イオントラップに捕捉されたイオンを繰り返し開裂させて質量分析を行うことにより、ＭＳｎ分析（ｎは自然数）を行い、ＭＳｎスペクトルデータを取得することができる。具体的には、イオン化された試料をイオントラップに捕捉し、その捕捉されたイオンを開裂させて質量分析を行うことにより、ＭＳスペクトルデータが取得される。その後、ＭＳスペクトルデータに基づいて、いずれかのイオンがプリカーサイオンとして選択される。そして、選択されたプリカーサイオンだけをイオントラップに残し、そのプリカーサイオンを開裂させて質量分析を行うことにより、ＭＳ／ＭＳスペクトルデータが取得される。
【００２３】  制御部２は、例えばＣＰＵ（Central Processing Unit）を含む構成である。制御部２は、ＣＰＵがプログラムを実行することにより、ＭＳスペクトルデータ取得処理部２１、プリカーサイオン選択処理部２２、ＭＳ／ＭＳスペクトルデータ取得処理部２３及び表示処理部２４などとして機能する。制御部２には、記憶部３及び表示部４が電気的に接続されている。
【００２４】  記憶部３は、例えばＲＡＭ（Random Access Memory）又はハードディスクなどにより構成されている。記憶部３の記憶領域には、ＭＳスペクトルデータ記憶部３１及びＭＳ／ＭＳスペクトルデータ記憶部３２などが割り当てられている。表示部４は、例えば液晶表示器により構成されている。
【００２５】  ＭＳスペクトルデータ取得処理部２１は、質量分析部１におけるイオン検出器からの検出信号に基づいて、ＭＳスペクトルデータを取得する処理を行う（ＭＳスペクトルデータ取得ステップ）。すなわち、質量分析部１において試料をイオン化させ、そのイオンを開裂させて質量分析を行うことにより、ＭＳスペクトルデータが取得される。取得されたＭＳスペクトルデータは、そのＭＳスペクトルデータに対応する保持時間（リテンションタイム）とともに、ＭＳスペクトルデータ記憶部３１に記憶される。
【００２６】  プリカーサイオン選択処理部２２は、取得されたＭＳスペクトルデータに基づいて、プリカーサイオンを選択する処理を行う（プリカーサイオン選択ステップ）。すなわち、取得されたＭＳスペクトルデータに含まれるピークのうち、所定の条件を満たすピークに対応するイオンが、プリカーサイオンとして選択される。例えば、上記所定の条件として、所定の閾値以上の強度を有するピークがプリカーサイオンとして選択されてもよい。所定の閾値以上の強度を有するピークが複数存在する場合には、強度の高いピークから順にプリカーサイオンとして選択されてもよい。
【００２７】  ＭＳ／ＭＳスペクトルデータ取得処理部２３は、選択されたプリカーサイオンを開裂させて質量分析を行うことにより、ＭＳ／ＭＳスペクトルデータを取得する処理を行う（ＭＳ／ＭＳスペクトルデータ取得ステップ）。取得されたＭＳ／ＭＳスペクトルデータは、そのＭＳ／ＭＳスペクトルデータに対応する保持時間（リテンションタイム）、及び、対応するプリカーサイオンの質量電荷比（プリカーサ質量）とともに、ＭＳ／ＭＳスペクトルデータ記憶部３２に記憶される。
【００２８】  プリカーサイオン選択処理部２２は、質量電荷比の異なるプリカーサイオンを順次選択する。順次選択されたプリカーサイオンが、ＭＳ／ＭＳスペクトルデータ取得処理部２３により開裂されて質量分析が行われることにより、各プリカーサイオンに対応するＭＳ／ＭＳスペクトルデータが取得される。
【００２９】  本実施形態では、プリカーサイオン選択処理部２２がプリカーサイオンを順次選択する際、既にＭＳ／ＭＳスペクトルデータが取得されているプリカーサイオンの質量電荷比に対して所定の範囲内に含まれる質量電荷比のイオンは、プリカーサイオンとして選択されないようになっている。すなわち、既にＭＳ／ＭＳスペクトルデータが取得されているプリカーサイオンの質量電荷比に対して所定の範囲内に含まれない質量電荷比のイオンのみが、プリカーサイオンとして選択されるようになっている。
【００３０】  表示処理部２４は、ＭＳスペクトルデータ及びＭＳ／ＭＳスペクトルデータを表示部４に表示させる処理を行う（表示ステップ）。本実施形態では、ＭＳスペクトルデータとともに、そのＭＳスペクトルデータに対応する保持時間を表示部４に表示させることができる。また、ＭＳ／ＭＳスペクトルデータとともに、そのＭＳ／ＭＳスペクトルデータに対応する保持時間、及び、対応するプリカーサイオンの質量電荷比（プリカーサ質量）を表示部４に表示させることができる。
【００３１】２．プリカーサイオンの選択  図２は、プリカーサイオン選択処理部２２がプリカーサイオンを選択する際の態様について説明するための図である。
【００３２】  図２の例では、保持時間ｒｔ１において取得されたＭＳスペクトルデータに含まれるピークＰ１が、上述した所定の閾値以上の強度であるとする。この場合、ピークＰ１に対応する質量電荷比ｍｚ１のイオンが、プリカーサイオンとして選択され、そのプリカーサイオンが開裂されて質量分析が行われる。これにより、保持時間ｒｔ２においてＭＳ／ＭＳスペクトルデータが取得される。
【００３３】  次に取得された保持時間ｒｔ３におけるＭＳスペクトルデータが、上述した所定の閾値以上の強度を有するピークＰ２を含んでいたとすると、通常であれば、このピークＰ２に対応する質量電荷比ｍｚ２のイオンが、プリカーサイオンとして選択される。しかし、本実施形態では、その質量電荷比ｍｚ２が、既にＭＳ／ＭＳスペクトルデータが取得されているプリカーサイオンの質量電荷比ｍｚ１に対して所定の範囲Ｒ内に含まれていれば、その質量電荷比ｍｚ２のイオンはプリカーサイオンとして選択されない。
【００３４】  このように、プリカーサイオンとして選択されないイオンがあった場合であっても、そのイオンがプリカーサイオンとして選択されてＭＳ／ＭＳスペクトルデータが取得されていたとした場合の保持時間ｒｔ４が記憶部３に記憶される。
【００３５】３．実施例  図３は、ある試料をイオン化して質量分析を行うことにより取得されたＭＳスペクトルデータの一例を示す図である。この実施例では、取得されたＭＳスペクトルデータに含まれる複数のピークのうち、所定の閾値Ｖ以上の強度を有する１２個のピークにそれぞれ対応する質量電荷比のイオンが、プリカーサイオンとして選択される候補となり得る。
【００３６】  この実施例において、上述した所定の範囲（ｍ／ｚ幅）Ｒは、±５Ｄａとする。すなわち、既にＭＳ／ＭＳスペクトルデータが取得されているプリカーサイオンの質量電荷比に対して、±５Ｄａの範囲内に質量電荷比が含まれるイオンは、プリカーサイオンとして選択されず、当該イオンに基づいてＭＳ／ＭＳスペクトルデータを取得する処理は実行されない。
【００３７】  図４は、図３に示すＭＳスペクトルデータに基づいてプリカーサイオンを選択する際の態様について説明するための図である。この例では、所定の閾値Ｖ以上の強度を有するピークが１２個存在しているため、強度の高いピークから順にプリカーサイオンとして選択するための処理が行われる。
【００３８】  具体的には、最も強度が高いピークに対応する質量電荷比から順に、「４６１」、「５１０」、「５４２」の各質量電荷比のイオンがプリカーサイオンとして順次選択され、各プリカーサイオンが開裂されて質量分析が行われることにより、各プリカーサイオンに対応するＭＳ／ＭＳスペクトルデータが取得される。次に強度が高いピークに対応する質量電荷比は「４５９」であるが、既にＭＳ／ＭＳスペクトルデータが取得されているプリカーサイオンの質量電荷比「４６１」に対して±５Ｄａの範囲内であるため、「４５９」の質量電荷比のイオンはプリカーサイオンとして選択されない。
【００３９】  次に続く「４７９」、「４９６」、「５１９」の各質量電荷比は、既にＭＳ／ＭＳスペクトルデータが取得されているプリカーサイオンの質量電荷比に対して±５Ｄａの範囲内ではない。したがって、これらの各質量電荷比のイオンはプリカーサイオンとして順次選択され、ＭＳ／ＭＳスペクトルデータが取得される。しかし、その後に続く「４６３」、「４８１」、「４９８」、「５１２」、「５２１」の各質量電荷比は、既にＭＳ／ＭＳスペクトルデータが取得されているプリカーサイオンの質量電荷比に対して±５Ｄａの範囲内であるため、これらの各質量電荷比のイオンはプリカーサイオンとして選択されない。
【００４０】  図５は、表示処理部２４がＭＳスペクトルデータ及びＭＳ／ＭＳスペクトルデータを表示部４に表示させる際の態様について説明するための図である。この例では、１つのＭＳスペクトルデータが表示されるとともに（図５Ａ）、２つのＭＳ／ＭＳスペクトルデータが表示されている（図５Ｂ及び図５Ｃ）。図５Ａ〜図５Ｃに例示されるような表示は、表示部４に対して同時に表示されてもよいし、別々に表示されてもよい。
【００４１】  ＭＳスペクトルデータは、図５Ａに示すように、そのＭＳスペクトルデータに対応する保持時間「６．１５２」とともに表示部４に表示される。ＭＳ／ＭＳスペクトルデータは、図５Ｂ及び図５Ｃに示すように、そのＭＳ／ＭＳスペクトルデータに対応する保持時間「６．１６２」，「６．１６８」、及び、対応するプリカーサイオンの質量電荷比「４７９」，「４８１」とともに表示部４に表示される。
【００４２】  ここで、質量電荷比「４７９」のイオンは、図４に示した通り、プリカーサイオンとして選択され、ＭＳ／ＭＳスペクトルデータが取得される。したがって、その実際に取得されたＭＳ／ＭＳスペクトルデータが、図５Ｂに示すように表示部４に表示される。一方、質量電荷比「４８１」のイオンは、既にＭＳ／ＭＳスペクトルデータが取得されているプリカーサイオンの質量電荷比「４７９」に対して±５Ｄａの範囲内であるため、図４に示した通り、プリカーサイオンとして選択されない。
【００４３】  この場合、図５Ｃに示すように、プリカーサイオンとして選択されなかった質量電荷比「４８１」のイオンに対応するＭＳ／ＭＳスペクトルデータとして、当該イオンの質量電荷比「４８１」を±５Ｄａの範囲内に含むプリカーサイオン（質量電荷比「４７９」）に対応するＭＳ／ＭＳスペクトルデータが表示部４に表示される。すなわち、質量電荷比「４７９」のイオンに対応するＭＳ／ＭＳスペクトルデータ（図５Ｂ）と、質量電荷比「４８１」のイオンに対応するＭＳ／ＭＳスペクトルデータ（図５Ｃ）は、同一のＭＳ／ＭＳスペクトルデータとして表示部４に表示される。
【００４４】  また、図５Ｃに示すように、プリカーサイオンとして選択されなかったイオン（質量電荷比「４８１」）に対応するＭＳ／ＭＳスペクトルデータを表示させる際には、当該イオンがプリカーサイオンとして選択されてＭＳ／ＭＳスペクトルデータが取得されていたとした場合の保持時間「６．１６８」が表示される。
【００４５】４．作用効果（１）本実施形態では、質量電荷比の異なるプリカーサイオンを順次選択して、各プリカーサイオンに対応するＭＳ／ＭＳスペクトルデータを取得する際、既にＭＳ／ＭＳスペクトルデータが取得されているプリカーサイオンの質量電荷比（図４における「４６１」、「５１０」、「５４２」、「４７９」、「４９６」、「５１９」）に対して所定の範囲内に含まれる質量電荷比（図５における「４５９」、「４６３」、「４８１」、「４９８」、「５１２」、「５２１」）のイオンは選択されない。これにより、必要最小限のＭＳ／ＭＳスペクトルデータを取得することができ、近似するＭＳ／ＭＳスペクトルデータが無駄に取得されるのを防止することができる。その結果、時間及び記憶領域を無駄に使用するのを防止することができる。
【００４６】（２）本実施形態では、図５Ｃに例示される通り、プリカーサイオンとして選択されなかったイオン（質量電荷比「４８１」）についても、そのイオンに対応するＭＳ／ＭＳスペクトルデータとして、当該イオンの質量電荷比を所定の範囲Ｒ内に含むプリカーサイオン（質量電荷比「４７９」）に対応するＭＳ／ＭＳスペクトルデータが表示される。したがって、表示されたＭＳ／ＭＳスペクトルデータを確認することにより、プリカーサイオンとして選択されなかったイオンについての分析も行うことが可能になる。
【００４７】（３）本実施形態では、図５Ｃに例示される通り、プリカーサイオンとして選択されなかったイオン（質量電荷比「４８１」）については、そのイオンに対応するＭＳ／ＭＳスペクトルデータとして、当該イオンの質量電荷比を所定の範囲Ｒ内に含むプリカーサイオンに対応するＭＳ／ＭＳスペクトルデータが表示されるだけでなく、当該イオンがプリカーサイオンとして選択されてＭＳ／ＭＳスペクトルデータが取得されていたとした場合の保持時間「６．１６８」も表示される。したがって、表示されたＭＳ／ＭＳスペクトルデータ及び保持時間を確認することにより、プリカーサイオンとして選択されなかったイオンについての分析をより詳細に行うことが可能になる。
【符号の説明】
【００４８】１    質量分析部２    制御部３    記憶部４    表示部２１  ＭＳスペクトルデータ取得処理部２２  プリカーサイオン選択処理部２３  ＭＳスペクトルデータ取得処理部２４  表示処理部３１  ＭＳスペクトルデータ記憶部３２  ＭＳ／ＭＳスペクトルデータ記憶部
【図１】
2019229839.tif 000003
【図２】
2019229839.tif 000004
【図３】
2019229839.tif 000005
【図４】
2019229839.tif 000006
【図５】
2019229839.tif 000007
【国際調査報告】
2019229839.tif 000008
2019229839.tif 000009
2019229839.tif 000010
2019229839.tif 000011